(57)【要約】【課題】軸等に装着された割りピンを容易に抜き取ることができる割りピン抜き取り工具を提供する。【解決手段】互いに枢着された操作部３及び４の各一端部に、係合部１及び２を設ける。また、係合部１の対向面５に溝部７と窪み部８を、係合部２の対向面６に溝部９と窪み部１０を形成する。そして、軸１２等に固定された割りピン１１を抜き取る場合は、割りピン１１の一方の足部１３ａを上記窪み部８に、他方の足部１３ｂを窪み部１０に係止させた状態で係合部１及び２を閉じていき、両足部１３ａ及び１３ｂが溝部７及び９内に収まるように係止部１及び２を完全に閉じて、曲がった両足部１３ａ及び１３ｂを真っ直ぐに伸ばす。【選択図】図５
2011152604.tif 000002
【特許請求の範囲】
【請求項１】
軸等に装着された割りピンを抜き取るための割りピン抜き取り工具であって、
互いに対向する対向面を有し、前記割りピンの抜き取り時に前記割りピンの足部に係合する第１係合部及び第２係合部と、
一端部に前記第１係合部が設けられた第１操作部と、
一端部に前記第２係合部が設けられるとともに、前記第１操作部に枢着されることにより、前記第１操作部との枢着軸を中心に前記第１係合部及び前記第２係合部を開閉させる第２操作部と、
前記第１係合部の前記対向面に直線状に形成され、一端が前記第１係合部の先端に開口する第１溝部と、
前記第２係合部の前記対向面に直線状に形成され、一端が前記第２係合部の先端に開口するとともに、前記第１係合部及び前記第２係合部が閉じられた際に、その長手に渡って前記第１溝部に対向する第２溝部と、
前記第１溝部に形成された、前記割りピンの一方の足部の先端を係止するための第１窪み部と、
前記第２溝部に形成された、前記割りピンの他方の足部の先端を係止するための第２窪み部と、
を備えたことを特徴とする割りピン抜き取り工具。
【請求項２】
前記第１窪み部と前記第２窪み部とは、前記第１係合部及び前記第２係合部が閉じられた際に互いに対向しないように、前記第１溝部及び前記第２溝部に形成されたことを特徴とする請求項１に記載の割りピン抜き取り工具。
【発明の詳細な説明】
【技術分野】
【０００１】
この発明は、軸等に装着された割りピンを抜き取るための割りピン抜き取り工具に関するものである。
【背景技術】
【０００２】
下記特許文献１には、割りピンを軸等に装着するための工具が提案されている。
割りピンを軸等に装着するためには、直線状に形成されている割りピンの２本の足部を所定の孔に通した後、両足部を開くように曲げて塑性変形させれば良い。なお、割りピンの装着時は、割りピンとして新品のものが使用されるため、上記装着作業は比較的容易に行うことができ、特に問題が生じることはない。
【先行技術文献】
【特許文献】
【０００３】
【特許文献１】特開平９−１５５７５０号公報
【発明の概要】
【発明が解決しようとする課題】
【０００４】
一方、軸等に既に装着されている割りピンを取り外す場合は、割りピンの両足部を、取り付けられている孔に沿うように直線状に加工し、その孔から抜き取らなければならない。
【０００５】
図８は抜き取り作業時の割りピンの状態を示す図である。従来では、図８（ａ）に示すように軸１２に装着されている割りピン１１を取り外す場合、通常のペンチやラジオペンチ等を用いて両足部１３ａ、１３ｂの加工を行っていた。しかし、軸１２への装着が長期に渡ると、割りピン１１に錆や劣化、摩耗等が発生し、足部１３ａ、１３ｂを真っ直ぐに整えることが困難になるといった問題があった（図８（ｂ）参照）。
【０００６】
また、図９はエレベーター改修作業時の昇降路ピット内の状態を示す図である。図９において、１５はエレベーター昇降路内を昇降するつり合いおもり、１６はつり合いおもり１５の昇降を案内するガイドレール、１７はつり合いおもり１５を昇降路内で懸架する主ロープ、１８は主ロープ１７をつり合いおもり１５に連結するための連結ロッドである。
【０００７】
割りピンは、上記連結ロッド１８にも用いられている。このため、エレベーターの改修時に主ロープ１７の交換作業を行う場合、作業者は、梯子１９の上に登って不安定な姿勢で割りピンの抜き取り作業を行わなければならない。このため、割りピンに錆等が発生している場合は、上記加工に多大な時間と手間とが必要になり、その作業効率が大幅に低下するといった問題があった。
【０００８】
この発明は、上述のような課題を解決するためになされたもので、その目的は、軸等に装着された割りピンを容易に抜き取ることができる割りピン抜き取り工具を提供することである。
【課題を解決するための手段】
【０００９】
この発明に係る割りピン抜き取り工具は、軸等に装着された割りピンを抜き取るための割りピン抜き取り工具であって、互いに対向する対向面を有し、割りピンの抜き取り時に割りピンの足部に係合する第１係合部及び第２係合部と、一端部に第１係合部が設けられた第１操作部と、一端部に第２係合部が設けられるとともに、第１操作部に枢着されることにより、第１操作部との枢着軸を中心に第１係合部及び第２係合部を開閉させる第２操作部と、第１係合部の対向面に直線状に形成され、一端が第１係合部の先端に開口する第１溝部と、第２係合部の対向面に直線状に形成され、一端が第２係合部の先端に開口するとともに、第１係合部及び第２係合部が閉じられた際に、その長手に渡って第１溝部に対向する第２溝部と、第１溝部に形成された、割りピンの一方の足部の先端を係止するための第１窪み部と、第２溝部に形成された、割りピンの他方の足部の先端を係止するための第２窪み部と、を備えたものである。
【発明の効果】
【００１０】
この発明に係る割りピン抜き取り工具であれば、軸等に装着された割りピンを容易に抜き取ることができるようになる。
【図面の簡単な説明】
【００１１】
【図１】この発明の実施の形態１における割りピン抜き取り工具を示す全体図である。
【図２】図１に示す割りピン抜き取り工具の要部正面図である。
【図３】図１に示す割りピン抜き取り工具の要部側面図である。
【図４】図２のＡ−Ａ矢視を示す図である。
【図５】図１に示す割りピン抜き取り工具の使用方法を説明するための図である。
【図６】図１に示す割りピン抜き取り工具の使用方法を説明するための図である。
【図７】図１に示す割りピン抜き取り工具の使用方法を説明するための図である。
【図８】抜き取り作業時の割りピンの状態を示す図である。
【図９】エレベーター改修作業時の昇降路ピット内の状態を示す図である。
【発明を実施するための形態】
【００１２】
この発明をより詳細に説明するため、添付の図面に従ってこれを説明する。なお、各図中、同一又は相当する部分には同一の符号を付しており、その重複説明は適宜に簡略化ないし省略する。
【００１３】
実施の形態１．
図１はこの発明の実施の形態１における割りピン抜き取り工具を示す全体図である。本割りピン抜き取り工具は、軸等に装着された割りピンを抜き取るためのものであり、係合部１及び２と操作部３及び４とにより、その要部が構成されている。
【００１４】
図２は図１に示す割りピン抜き取り工具の要部正面図、図３は図１に示す割りピン抜き取り工具の要部側面図、図４は図２のＡ−Ａ矢視を示す図である。
以下に、図２乃至図４も参照し、本割りピン抜き取り工具の構成について具体的に説明する。
【００１５】
係合部１及び２は、割りピンの抜き取り時に割りピンの足部に係合する部分である。係合部１には、係合部２側に向いた対向面５が、係合部２には係合部１側に向いた対向面６が設けられている。
【００１６】
操作部３及び４は、割りピンの抜き取り作業を行う作業者が把持して係合部１及び２を操作する部分を構成する。具体的に、上記係合部１が操作部３の一端部に、係合部２が操作部４の一端部に設けられており、操作部３及び４が交差して全体としてＸ字状に配置されている。
【００１７】
また、操作部４は、その中間部が操作部３の中間部に枢着されており、係合部１及び２が、上記枢着軸を中心に開閉するように構成されている。即ち、操作部３及び４の間隔が広げられることによって係合部１及び２は開き、操作部３及び４の間隔が狭められることによって係合部１及び２は閉じる。そして、操作部３及び４の上記操作によって係合部１及び２の間隔が狭められると、対向面５及び６のなす角度が小さくなって対向面５及び６が互いに対向し合い、最終的に対向面５及び６が接触するように構成されている。
【００１８】
また、係合部１の対向面５には、溝部７と窪み部８とが形成されている。
溝部７は、横断面半円状を呈し、上記対向面５に、係合部１の長手に沿って直線状に形成されている。また、溝部７は、その一端が、係合部１の先端を形成する端面１ａに開口するように形成されている。窪み部８は、溝部７の表面から一段低くなるように形成された溝部７内の窪みからなり、溝部７の長手方向に所定の間隔で複数形成されている。なお、この窪み部８は、割りピンの一方の足部の先端（或いは、先端の一部）を収容して割りピンを係止するためのものである。
【００１９】
一方、係合部２の対向面６には、上記溝部７及び窪み部８と同様の構成を有する溝部９と窪み部１０とが形成されている。即ち、溝部９は、横断面半円状を呈し、係合部２の長手に沿って対向面６に直線状に形成されており、その一端が、係合部２の先端を形成する端面２ａに開口する。また、窪み部１０は、溝部９の表面から一段低くなるように形成された溝部９内の窪みからなり、溝部９の長手方向に所定の間隔で複数形成されている。なお、この窪み部１０は、割りピンの他方の足部の先端（或いは、先端の一部）を収容して割りピンを係止するためのものである。
【００２０】
そして、上記溝部７及び９は、係合部１及び２が完全に閉じられた状態になると、互いに長手に渡って対向し、係合部１及び２に円柱状の空間を形成する。
なお、割りピンの足部は、長さが異なるものが多い。このため、係合部１及び２が完全に閉じられた際に上記窪み部８及び１０が互いに対向しないように、窪み部８及び１０を配置しても良い。
【００２１】
次に、図５乃至図７も参照し、上記構成を有する割りピン抜き取り工具の使用方法について具体的に説明する。なお、図５乃至図７は、図１に示す割りピン抜き取り工具の使用方法を説明するための図である。
【００２２】
割りピン１１は、軸１２等への装着時、両足部１３ａ及び１３ｂが左右に広げられて軸１２から抜けないように固定されている。かかる状態の割りピン１１を本割りピン抜き取り工具を用いて軸１２から取り外す場合には、先ず、本割りピン抜き取り工具の操作部３及び４を操作して係合部１及び２を大きく開いた状態に保持し、割りピン１１の一方の足部１３ａの先端を係合部１の何れかの窪み部８に、他方の足部１３ｂの先端を係合部２の何れかの窪み部１０に引っ掛けて、両足部１３ａ及び１３ｂがずれないようにする。
【００２３】
両足部１３ａ及び１３ｂを窪み部８及び１０に係止させた状態で割りピン１１を挟んだ後、作業者は、その状態のまま工具を後方に引きながら操作部３及び４を握り締め、両足部１３ａ及び１３ｂを伸ばしながら係止部１及び２を閉じていく。なお、割りピン１１の両足部１３ａ及び１３ｂの各先端は、互いに外側を向いているため、上記操作時に両足部１３ａ及び１３ｂの各先端が窪み部８及び１０から外れることはない。そして、作業者は、係止部１及び２を完全に閉じた際に割りピン１１の両足部１３ａ及び１３ｂが溝部７及び９内に収まるように係止部１及び２を閉じ、曲がった両足部１３ａ及び１３ｂを真っ直ぐに伸ばす（図７参照）。
【００２４】
なお、上記操作によって割りピン１１の両足部１３ａ及び１３ｂを直線状に伸ばした後、作業者は、割りピン１１の環状の頭部１４を係止部１及び２で挟んで軸１２の孔から抜き取り、割りピン１１を軸１２から取り外す。
【００２５】
この発明の実施の形態１によれば、軸１２等に装着された割りピン１１を容易な操作によって抜き取ることができ、高所や不安定な場所においても、簡単に且つ短時間でその作業を終えることができる。また、従来のペンチ等と同様の操作性を有しているため、誰でも使いこなすことが可能であり、エレベーターの改修作業等、種々の作業環境化において用いることができる。
【符号の説明】
【００２６】
１、２  係合部
１ａ、２ａ  端面
３、４  操作部
５、６  対向面
７、９  溝部
８、１０  窪み部
１１  割りピン
１２  軸
１３ａ、１３ｂ  足部
１４  頭部
１５  つり合いおもり
１６  ガイドレール
１７  主ロープ
１８  連結ロッド
１９  梯子
【図１】
2011152604.tif 000003
【図２】
2011152604.tif 000004
【図３】
2011152604.tif 000005
【図４】
2011152604.tif 000006
【図５】
2011152604.tif 000007
【図６】
2011152604.tif 000008
【図７】
2011152604.tif 000009
【図８】
2011152604.tif 000010
【図９】
2011152604.tif 000011